(57)【要約】【課題】  オルタネータ入力が大容量の場合と小容量の場合の両方に対応でき、しかも、トータルとしての作業性の低下やトータルコストの増大等を招来しないヒュージブルリンクユニットを提供する。【解決手段】  複数の溶断部４と各溶断部４を介して連結される複数の負荷用端子５とバッテリ用端子６とオルタネータ用端子７とが一体に形成されたヒューズ構成体２を有するヒュージブルリンクユニット１Ａであって、ヒューズ構成体２には、オルタネータ用端子として第１オルタネータ用端子７と第２オルタネータ用端子とが共に併設され、第１オルタネータ用端子７によりオルタネータ側の相手端子がネジ締め接続される第１オルタネータ用入力部１０が、第２オルタネータ用端子によりオルタネータ側の相手端子がコネクタ接続される第２オルタネータ用入力部２０が、それぞれ設けられた。【選択図】      図１
2005190735.tif 000002
【特許請求の範囲】
【請求項１】
複数の溶断部と該各溶断部を介して連結される複数の負荷用端子とバッテリ用端子とオルタネータ用端子とが一体に形成されたヒューズ構成体を有するヒュージブルリンクユニットであって、
前記ヒューズ構成体には、前記オルタネータ用端子として第１オルタネータ用端子と第２オルタネータ用端子とが共に併設され、前記第１オルタネータ用端子によりオルタネータ側の相手端子がネジ締め接続される第１オルタネータ用入力部が、前記第２オルタネータ用端子によりオルタネータ側の相手端子がコネクタ接続される第２オルタネータ用入力部が、それぞれ設けられたことを特徴とするヒュージブルリンクユニット。
【請求項２】
請求項１記載のヒュージブルリンクユニットであって、
前記バッテリ用端子は、バッテリにケーブルを介することなく接続されることを特徴とするヒュージブルリンクユニット。
【請求項３】
請求項１記載のヒュージブルリンクユニットであって、
前記バッテリ用端子は、バッテリにケーブルを介して接続されることを特徴とするヒュージブルリンクユニット。
【発明の詳細な説明】
【技術分野】
【０００１】
本発明は、ヒューズ構成体より複数の溶断部が一体に形成されるヒュージブルリンクユニットに関する。
【背景技術】
【０００２】
この種の従来のヒュージブルリンクユニットとして、特許文献１に開示されたものがある。このヒュージブルリンクユニットは、ブスバーより形成されたヒューズ構成体とこのヒューズ構成体の外周を部分的に被う絶縁性のケースとから構成されている。ヒューズ構成体は、複数の溶断部と各溶断部を介して連結される複数の負荷用端子とバッテリ用端子とを有している。
【０００３】
このようなヒュージブルリンクユニットは、複数の溶断部を一体集約して配置できるため、非常にコンパクトに形成できるという利点がある。
【０００４】
ところで、ヒュージブルリンクユニットにあって、オルタネータからの電源を入力するためのオルタネータ用入力部を備えたものがあり、その従来例が図７及び図８に示されている。
【０００５】
図７及び図８のヒュージブルリンクユニット１００Ａは、上記と同様に、ブスバーより形成されたヒューズ構成体１０１と、このヒューズ構成体１０１の外周を部分的に被う絶縁性のケース１０２とから構成されている。ヒューズ構成体１０１は、複数の溶断部１０３と各溶断部１０３を介して連結される複数の負荷用端子１０４とバッテリ用端子１０５とオルタネータ用端子１０６とを有している。バッテリ用端子１０５は、バッテリ連結端子１１０を介してバッテリポスト（図示せず）に接続される。オルタネータ用端子１０６により形成されるオルタネータ用入力部１１１は、オルタネータ用端子１０６にボルト挿通孔（図示せず）が形成されていると共に、このボルト挿入孔に挿通されたボルト１１２が立設されており、オルタネータ側の相手端子がネジ締め接続されるように形成されている。
【０００６】
また、他の従来例が図９及び図１０に示されている。このヒュージブルリンクユニット１００Ｂは、上述したものと比較してオルタネータ用端子１２０により形成されるオルタネータ用入力部１２１の構成のみが相違する。つまり、オルタネータ用端子１２０（図１０に示す）により形成されるオルタネータ用入力部１２１は、オルタネータ用端子１２０がオス端子形態に形成されていると共に、ケース１０２の一部によってコネクタハウジング１２２が形成されており、オルタネータ側の相手端子（図示せず）がコネクタ接続されるように形成されている。尚、同一構成箇所には同一符号を付してその説明を省略すると共に明確化を図る。
【０００７】
オルタネータ入力の電流容量が大きい場合には、図７及び図８に示すヒュージブルリンクユニット１００Ａが使用され、オルタネータ入力の電流容量が小さい場合には、作業性の向上が図れる図９及び図１０のヒュージブルリンクユニット１００Ｂが通常使用される。
【０００８】
ところで、同じ車種でも車格によりオルタネータ入力の電流容量が大きいものと小さいものが混在する。そのため、同一車種に搭載されるヒュージブルリンクユニットを統一する場合には、オルタネータ入力が大容量である図７及び図８のヒュージブルリンクユニット１００Ａを使用し、同一車種に搭載されるヒュージブルリンクを統一しない場合には、オルタネータ入力の容量に応じて両方の種類を混在させて使用することになる。
【特許文献１】特開２０００−１８２５０６号公報
【発明の開示】
【発明が解決しようとする課題】
【０００９】
しかしながら、ヒュージブルリンクユニットを統一して使用する場合にはトータルとしての作業性が低下し、ヒュージブルリンクユニットを２種類使用する場合には、２種類のヒュージブルリンクの作成・管理等が必要となるため、トータルコストが高くなる等の問題があった。
【００１０】
そこで、本発明は、前記した課題を解決すべくなされたものであり、オルタネータ入力が大容量の場合と小容量の場合の両方に対応でき、しかも、トータルとしての作業性の低下やトータルコストの増大等を招来しないヒュージブルリンクユニットを提供することを目的とする。
【課題を解決するための手段】
【００１１】
請求項１の発明は、複数の溶断部と該各溶断部を介して連結される複数の負荷用端子とバッテリ用端子とオルタネータ用端子とが一体に形成されたヒューズ構成体を有するヒュージブルリンクユニットであって、前記ヒューズ構成体には、前記オルタネータ用端子として第１オルタネータ用端子と第２オルタネータ用端子とが共に併設され、前記第１オルタネータ用端子によりオルタネータ側の相手端子がネジ締め接続される第１オルタネータ用入力部が、前記第２オルタネータ用端子によりオルタネータ側の相手端子がコネクタ接続される第２オルタネータ用入力部が、それぞれ設けられたことを特徴とする。
【００１２】
請求項２の発明は、請求項１記載のヒュージブルリンクユニットであって、前記バッテリ用端子は、バッテリにケーブルを介することなく接続されることを特徴とする。
【００１３】
請求項３の発明は、請求項１記載のヒュージブルリンクユニットであって、前記バッテリ用端子は、バッテリにケーブルを介して接続されることを特徴とする。
【発明の効果】
【００１４】
請求項１の発明によれば、オルタネータ入力の電流容量が大きい場合には、オルタネータの相手端子を第１オルタネータ入力部にネジ締めで接続し、オルタネータ入力の電流容量が小さい場合には、オルタネータの相手端子を第２オルタネータ入力部にコネクタ接続する。これにより、オルタネータ入力が大容量の場合と小容量の場合の両方に対応でき、しかも、トータルとしての作業性の低下やトータルコストの増大等を招来しない。
【００１５】
請求項２の発明によれば、バッテリに直付けのヒュージブルリンクユニットについて、請求項１の発明の効果を得ることができる。
【００１６】
請求項３の発明によれば、電気接続箱内に組み込まれるヒュージブルリンクユニットについて、請求項１の発明の効果を得ることができる。
【発明を実施するための最良の形態】
【００１７】
以下、本発明の実施形態を図面に基づいて説明する。
【００１８】
図１及び図２は本発明の第１実施形態を示し、図１はヒュージブルリンクユニットの斜視図、図２はヒュージブルリンクユニットのヒューズ回路図である。
【００１９】
図１に示すように、ヒュージブルリンクユニット１Ａは、バッテリ直付けタイプであり、導電性のプレート材を所定形状にプレス加工されたブスバーより形成されたヒューズ構成体２と、このヒューズ構成体２を例えばインサート成形することにより形成され、ヒューズ構成体２の外周を部分的に被う絶縁性のケース３とから構成されている。
【００２０】
ヒューズ構成体２は、２つの溶断部４と該各溶断部４を介して連結される２つの負荷用端子５とバッテリ用端子６と第１オルタネータ用端子７及び第２オルタネータ用端子８（図２に示す）とを有している。そして、ヒューズ構成体２によって図２に示すヒューズ回路が構成されている。
【００２１】
各溶断部４は、細幅でクランク状を有し、そのクランク形状の途中に低融点金属が加締め固定されており、それぞれに所定値以上の電流が通電されると溶断するようになっている。
【００２２】
各負荷用端子５は、オス端子形態に形成され、これら負荷用端子５の外周位置にはケース３の一部によってコネクタハウジング９が形成されている。
【００２３】
バッテリ用端子６には、ボルト挿通孔６ａが形成されており、このボルト挿通孔６ａを利用してバッテリ連結端子（図示せず）の一端側が接続される。バッテリ連結端子の他端側はバッテリのバッテリポスト（図示せず）に接続される。つまり、バッテリ用端子６はバッテリ（図示せず）にケーブル（図示せず）を介することなく接続される。
【００２４】
第１オルタネータ用端子７によって第１オルタネータ用入力部１０が、第２オルタネータ用端子８によって第２オルタネータ用入力部２０が、それぞれ形成されている。
【００２５】
第１オルタネータ用入力部１０は、第１オルタネータ用端子７にボルト挿通孔７ａが形成されていると共に、このボルト挿通孔７ａに挿通されたボルト１１が立設されている。つまり、第１オルタネータ用入力部１０は、オルタネータ側の相手端子（図示せず）がネジ締め接続されるように形成されている。
【００２６】
第２オルタネータ用入力部２０は、第２オルタネータ用端子８がオス端子形態に形成されていると共に、第２オルタネータ用端子８の外周にはケース３の一部によってコネクタハウジング２１が形成されている。つまり、第２オルタネータ用入力部２０は、オルタネータ側の相手端子（図示せず）がコネクタ接続されるように形成されている。
【００２７】
上記構成において、オルタネータ入力の電流容量が大きい車体に搭載される場合には、オルタネータの相手端子を第１オルタネータ用入力部１０にネジ締めで接続する。また、オルタネータ入力の電流容量が小さい車体に搭載される場合には、オルタネータの相手端子を第２オルタネータ用入力部２０にコネクタ接続する。これにより、オルタネータ入力が大容量の場合と小容量の場合の両方に対応でき、しかも、トータルとしての作業性の低下やトータルコストの増大等を招来しない。
【００２８】
このヒュージブルリンク１Ａの動作を簡単に説明すると、各負荷にバッテリやオルタネータからの電源がヒュージブルリンクユニット１Ａのヒューズ回路を介して分配供給される。また、バッテリの電源が少なくなると、オルタネータよりバッテリに電源が供給されることによって充電が行われる。そして、負荷側の短絡事故等によっていずれかの溶断部に所定以上の電流が通電されると、溶断部４が発熱によって溶断し、過電流に基づく事故が防止される。
【００２９】
図３〜図６は本発明の第２実施形態を示し、図３はヒュージブルリンクユニットの斜視図、図４はヒュージブルリンクユニットの平面図、図５（ａ）は図４中Ａ−Ａ線に沿う断面図、図５（ｂ）は図４中Ｂ−Ｂ線に沿う断面図、図６はヒュージブルリンクユニットのヒューズ回路図である。
【００３０】
図３〜図５に示すように、ヒュージブルリンクユニット１Ｂは、バッテリより離間した位置に配置されるタイプであり、導電性のプレート材を所定形状にプレス加工されたブスバーより形成されたヒューズ構成体３０と、このヒューズ構成体３０を内部に組み込み、ヒューズ構成体３０の外周を部分的に被う絶縁性のケース３１とから構成されている。
【００３１】
ヒューズ構成体３０は、多数の溶断部３２と該各溶断部３２を介して連結される多数の負荷用端子３３とバッテリ用端子３４とオルタネータ用溶断部３５と第１オルタネータ用端子３６及び第２オルタネータ用端子３７とを有している。そして、ヒューズ構成体３０によって図６に示すヒューズ回路が構成されている。
【００３２】
各溶断部３２は、細幅でクランク状を有し、そのクランク形状の途中に低融点金属が加締め固定されており、それぞれに所定値以上の電流が通電されると溶断するようになっている。
【００３３】
各負荷用端子３３は、オス端子形態に形成され、これら負荷用端子３３の一部外周にはケース３１の一部によってコネクタハウジング３８が形成されている。また、一部の負荷用端子３３は、ケース３１より露出状態で配置されている。つまり、複数の負荷用端子３３は、電流容量に応じてコネクタ接続タイプとネジ締め接続タイプに分けられている。
【００３４】
バッテリ用端子３４には、ボルト挿通孔（図示せず）が形成されており、このボルト挿通孔を利用してバッテリのケーブルの端部に固定された端子（図示せず）がネジ止めで接続される。つまり、バッテリ用端子３４はバッテリ（図示せず）にケーブル（図示せず）を介して接続される。
【００３５】
オルタネータ用溶断部３５は、細幅でストレート形状に形成されており、所定値以上の電流が通電されると溶断されるようになっている。
【００３６】
第１オルタネータ用端子３６によって第１オルタネータ用入力部４０が、第２オルタネータ用端子３７によって第２オルタネータ用入力部５０が、それぞれ形成されている。
【００３７】
第１オルタネータ用入力部４０は、第１オルタネータ用端子３６がケース３１より露出状態で配置され、第１オルタネータ用端子３６にはボルト締結用のボルト挿通孔３６ａが形成されている。つまり、第１オルタネータ用入力部４０は、オルタネータ側の相手端子（図示せず）がネジ締め接続されるように形成されている。
【００３８】
第２オルタネータ用入力部５０は、第２オルタネータ用端子３７がオス端子形態に形成されていると共に、第２オルタネータ用端子３７の外周にはケース３１の一部によってコネクタハウジング５１が形成されている。つまり、第２オルタネータ用入力部５０は、オルタネータ側の相手端子がコネクタ接続されるように形成されている。
【００３９】
上記構成において、オルタネータ入力の電流容量が大きい車体に搭載される場合には、オルタネータの相手端子を第１オルタネータ用入力部４０にネジ締めで接続する。また、オルタネータ入力の電流容量が小さい車体に搭載される場合には、オルタネータの相手端子を第２オルタネータ用入力部５０にコネクタ接続する。これにより、オルタネータ入力が大容量の場合と小容量の場合の両方に対応でき、しかも、トータルとしての作業性の低下やトータルコストの増大等を招来しない。
【図面の簡単な説明】
【００４０】
【図１】本発明の第１実施形態を示し、ヒュージブルリンクユニットの斜視図である。
【図２】本発明の第１実施形態を示し、ヒュージブルリンクユニットのヒューズ回路図である。
【図３】本発明の第２実施形態を示し、ヒュージブルリンクユニットの斜視図である。
【図４】本発明の第２実施形態を示し、ヒュージブルリンクユニットの平面図である。
【図５】本発明の第２実施形態を示し、（ａ）は図４中Ａ−Ａ線に沿う断面図、（ｂ）は図４中Ｂ−Ｂ線に沿う断面図である。
【図６】本発明の第２実施形態を示し、ヒュージブルリンクユニットのヒューズ回路図である。
【図７】従来例のヒュージブルリンクユニットの斜視図である。
【図８】上記従来例のヒュージブルリンクユニットのヒューズ回路図である。
【図９】他の従来例のヒュージブルリンクユニットの斜視図である。
【図１０】上記従来例のヒュージブルリンクユニットのヒューズ回路図である。
【符号の説明】
【００４１】
１Ａ，１Ｂ  ヒュージブルリンクユニット
２，３０  ヒューズ構成体
４，３２  溶断部
５，３３  負荷用端子
６，３４  バッテリ用端子
７，３６  第１オルタネータ用端子
８，３７  第２オルタネータ用端子
１０，４０  第１オルタネータ用入力部
２０，５０  第２オルタネータ用入力部
【図１】
2005190735.tif 000003
【図２】
2005190735.tif 000004
【図３】
2005190735.tif 000005
【図４】
2005190735.tif 000006
【図５】
2005190735.tif 000007
【図６】
2005190735.tif 000008
【図７】
2005190735.tif 000009
【図８】
2005190735.tif 000010
【図９】
2005190735.tif 000011
【図１０】
2005190735.tif 000012